(57)【特許請求の範囲】
【請求項１】
第１レールと、
前記第１レールに配置されている第１ブラケットと、
前記第１レールに対して可動であり、第１壁及び第２壁を含む第２レールであって、第２レールの前記第１壁及び前記第２壁の間に接続された長手方向壁を含む第２レールとを備え、
第１支持部が、前記第１レールと前記第１ブラケットとのうち一つに配置され、
前記第２レールが前記第１レールに対して伸長位置にあるときに、前記第１支持部と前記第２レールの前記第１壁とが互いに支持し合い、
前記第２レールの前記第１壁に設けられ、前記第２レールが前記第１レールに対してスライドを行うスライド面に平行に平坦である第１接触面と、
前記第１支持部に設けられ、前記スライド面に平行に平坦であり、前記第１接触面と面接触で接触し、前記伸長位置にある前記第２レールが前記スライド面からずれることを防止する第２接触面とをさらに備えている、スライドレール組立体。
【請求項２】
第２支持部が、前記第１レールと前記第１ブラケットとのうち一つに配置され、
前記第２レールが前記第１レールに対して前記伸長位置にあるときに、前記第２支持部と前記第２レールの前記第２壁とが互いに支持し合い、
前記第２レールの前記第２壁に設けられ、前記スライド面に平行に平坦である第３接触面と、
前記第２支持部に設けられ、前記スライド面に平行に平坦であり、前記第３接触面と面接触で接触し、前記伸長位置にある前記第２レールが前記スライド面からずれることを防止する第４接触面とをさらに備えている、請求項１記載のスライドレール組立体。
【請求項３】
前記第２レールが前記第１レールに対して退避位置にあるときに、前記第１支持部と前記第２レールの前記第１壁とが互いに係合せず、
前記第１支持部は前記第１ブラケットに配置され、前記第２レールの前記長手方向壁は、第１長手方向区間、第２長手方向区間及び中間区間を備え、前記第１長手方向区間と前記第２長手方向区間とは、前記中間区間の二つの反対側の端からそれぞれ曲がっている、請求項１記載のスライドレール組立体。
【請求項４】
前記第１支持部と前記第２支持部とは両方とも前記第１ブラケットに配置され、前記第１ブラケットは前記第１レールの第１端部に隣接して位置し、前記第１ブラケットは側壁を含み、
前記第２レールが前記第１レールに対して前記伸長位置にあるときに、前記第１ブラケットの前記側壁と前記第２レールの前記長手方向壁とが互いに支持し合う、請求項２記載のスライドレール組立体。
【請求項５】
前記第１レールは第１壁と第２壁と、前記第１レールの前記第１壁及び前記第２壁の間に接続された長手方向壁とを含み、前記第１レールの前記第１壁と前記第２壁と前記長手方向壁とで第１通路が画定され、前記第１通路は、前記第２レールを収容するように構成され、前記第２レールは前記第１通路の中に可動に取り付けられ、
スライドレール組立体はさらに、第３レールを備え、前記第２レールの前記第１壁と前記第２壁と前記長手方向壁とで第２通路が画定され、前記第２通路は、前記第３レールを収容するように構成され、前記第３レールは前記第２通路の中に可動に取り付けられ、
前記第３レールは第１壁と第２壁と、前記第３レールの前記第１壁及び前記第２壁の間に接続された長手方向壁とを含み、
前記第１レールの前記第１壁と前記第２壁とのうち少なくとも一つは、第１壁区間と、前記第１壁区間から曲がっている第２壁区間とを含み、前記第１レールの前記第２壁区間と前記第１レールの前記長手方向壁との間に横断方向の幅が形成され、
前記第３レールの前記第１壁と前記第２壁とのうち少なくとも一つは、前記第３レールの前記長手方向壁から曲がっている第１壁区間と、前記第３レールの前記第１壁区間から曲がっている第２壁区間とを含み、前記第３レールの前記第２壁区間は、前記第２レールの前記第２通路の中へ伸び、前記第３レールの前記第２壁区間は横断方向の前記幅の範囲内に位置する、請求項２記載のスライドレール組立体。
【請求項６】
前記第３レールの前記長手方向壁と前記第１レールの前記第２壁区間とは実質的に同一平面上にあり、
前記第２レールの前記第１壁と前記第２壁とのうち少なくとも一つは、前記第２レールの前記長手方向壁から曲がっている第１延長区間と、前記第１延長区間から曲がっている第１曲げ区間と、前記第１曲げ区間から曲がっている第２延長区間と、前記第２延長区間から曲がっている第２曲げ区間とを含み、
前記第２レールの前記第２延長区間と前記第３レールの前記第１壁区間とは互いに支持し合うことが可能である、請求項５記載のスライドレール組立体。
【請求項７】
前記第１支持部は、横断方向及び／又は高さ方向に、前記第２レールの前記第１壁に支持を与えるように構成され、
第２支持部が、前記第１レールと前記第１ブラケットとのうち一つに配置され、前記第２支持部は、横断方向及び／又は高さ方向に、前記第２レールの前記第２壁に支持を与えるように構成されている、請求項１記載のスライドレール組立体。
【請求項８】
第１壁及び第２壁を含む第１レールであって、第１レールの前記第１壁及び前記第２壁の間に接続された長手方向壁を含む第１レールと、
前記第１レールに対して可動であり、第１壁及び第２壁を含む第２レールであって、第２レールの前記第１壁及び前記第２壁の間に接続された長手方向壁を含む第２レールと、
前記第２レールに対して可動であり、第１壁及び第２壁を含む第３レールであって、第３レールの前記第１壁及び前記第２壁の間に接続された長手方向壁を含む第３レールとを備え、
前記第１レールの前記第１壁と前記第２壁と前記長手方向壁とで第１通路が画定され、前記第１通路は、前記第２レールを収容するように構成され、前記第２レールは前記第１通路の中に可動に取り付けられ、前記第２レールの前記第１壁と前記第２壁と前記長手方向壁とで第２通路が画定され、前記第２通路は、前記第３レールを収容するように構成され、前記第３レールは前記第２通路の中に可動に取り付けられ、
前記第１レールの前記第１壁と前記第２壁とのうち少なくとも一つは、第１壁区間と、前記第１壁区間から曲がっている第２壁区間とを含み、前記第１レールの前記第２壁区間と前記第１レールの前記長手方向壁との間に横断方向の幅が形成され、前記第３レールの前記第１壁と前記第２壁とのうち少なくとも一つは、前記第３レールの前記長手方向壁から曲がっている第１壁区間と、前記第３レールの前記第１壁区間から曲がっている前記第２壁区間とを含み、前記第３レールの前記第２壁区間は、前記第２レールの前記第２通路の中へ伸び、前記第３レールの前記第２壁区間は横断方向の前記幅の範囲内に位置し、
前記第２レールの前記長手方向壁は、
第１及び第２長手方向区間と、
前記第１及び第２長手方向区間の間に位置する中間区間と、
前記第１長手方向区間を前記中間区間と接続し、前記第１長手方向区間から前記中間区間へ前記第１レールから遠ざかって延びている第１曲がり部と、
前記第２長手方向区間を前記中間区間と接続し、前記第２長手方向区間から前記中間区間へ前記第１レールから遠ざかって延びている第２曲がり部とを備え、
前記第１及び第２曲がり部はレール強度を高めるように構成されている、スライドレール組立体。
【請求項９】
前記第３レールの前記長手方向壁と前記第１レールの前記第２壁区間とは実質的に同一平面上にあり、
前記第２レールの前記第１壁と前記第２壁とのうち少なくとも一つは、前記第２レールの前記長手方向壁から曲がっている第１延長区間と、前記第１延長区間から曲がっている第１曲げ区間と、前記第１曲げ区間から曲がっている第２延長区間と、前記第２延長区間から曲がっている第２曲げ区間とを含み、
前記第２レールの前記第２延長区間と前記第３レールの前記第１壁区間とは互いに支持し合うことが可能である、請求項８記載のスライドレール組立体。
【請求項１０】
スライドレール組立体はさらに、前記第１レールに配置された第１ブラケットを備え、前記第１ブラケットと前記第１レールとの一つは第１支持部を備え、前記第１支持部は、横断方向に前記第２レールの前記第１壁の少なくとも一つの支持を供する、請求項８記載のスライドレール組立体。
【発明の詳細な説明】
【技術分野】
【０００１】
本発明は、スライドレール組立体に関し、さらに詳しくは、改良された構造的な強度を有するスライドレール組立体に関する。
【背景技術】
【０００２】
特許文献４は、サーバーラックに利用可能なスライドレールを開示している。スライドレールは第１レール、第２レール及び第３レールを含む。この特許文献は、スライドレール組立体の構造的な信頼性を改善することができるブラケットは、開示していない。
【０００３】
これに加えて、第３レールの構造的な強度を改善するために、この特許文献での第３レールの頂部と底部とは、Ｕ字型に折れ曲がっている（折られて重ねられた構造である）。第３レールでＵ字型に折れ曲がった部分に対応するために、第２レールの凹面の構造の横断方向の幅は、第１レールの通路の横断方向の幅より大きいように構成する必要がある。従って、第３レールでＵ字型に折れ曲がった部分は、第１レールの通路の横断方向の幅の範囲に対応することができない。この特許文献の実施形態では、スライドレール組立体の横断方向の総幅をより広くしているが、これはスライドレール組立体に広幅のサーバーを取り付けるには欠点となる。
【先行技術文献】
【特許文献】
【０００４】
【特許文献１】米国特許９１５５３８６号
【特許文献２】米国特許８２４０７９０号
【特許文献３】米国特許６８３４９２３号
【特許文献４】中国特許公開１０１８０３８３２号
【発明の概要】
【０００５】
従って、市場の異なった要請として、異なったスライドレール組立体をいかに発展させるかが問題となっている。
【０００６】
本発明の目的は、改良された構造的な強度を有するスライドレール組立体を提供することである。
【０００７】
本発明の実施形態によれば、スライドレール組立体は第１レールと、第１ブラケットと、第２レールとを備えている。第１ブラケットは、第１レールに配置されている。第２レールは、第１レールに対して可動であり、第１壁及び第２壁を含む第２レールであって、第２レールの第１壁及び第２壁の間に接続された長手方向壁を含む。第１支持部が、第１レールと第１ブラケットとのうち一つに配置されている。第２レールが第１レールに対して伸長位置にあるときに、第１支持部と第２レールの第１壁とが互いに支持し合う。
【０００８】
本発明の他の目的は、より大きな幅を有するサーバーと対応して、さらに小さな幅を有するスライドレール組立体を提供することである。
【０００９】
本発明の他の実施形態によれば、スライドレール組立体は第１レールと、第２レールと、第３レールとを備えている。第１レールは、第１壁及び第２壁を含む第１レールであって、第１レールの第１壁及び第２壁の間に接続された長手方向壁を含む。第２レールは、第１レールに対して可動であり、第１壁及び第２壁を含む第２レールであって、第２レールの第１壁及び第２壁の間に接続された長手方向壁を含む。第３レールは、第２レールに対して可動であり、第１壁及び第２壁を含む第３レールであって、第３レールの第１壁及び第２壁の間に接続された長手方向壁を含む。第１レールの第１壁と第２壁と長手方向壁とで第１通路が画定され、第１通路は、第２レールを収容するように構成され、第２レールは第１通路の中に可動に取り付けられ、第２レールの第１壁と第２壁と長手方向壁とで第２通路が画定され、第２通路は、第３レールを収容するように構成され、第３レールは第２通路の中に可動に取り付けられている。第１レールの第１壁と第２壁とのうち少なくとも一つは、第１壁区間と、第１壁区間から曲がっている第２壁区間とを含み、第１レールの第２壁区間と第１レールの長手方向壁との間に横断方向の幅が形成され、第３レールの第１壁と第２壁とのうち少なくとも一つは、第３レールの長手方向壁から曲がっている第１壁区間と、第３レールの第１壁区間から曲がっている第２壁区間とを含み、第３レールの第２壁区間は、第２レールの第２通路の中へ伸び、第３レールの第２壁区間は横断方向の幅の範囲内に位置する。
【図面の簡単な説明】
【００１０】
本発明のこれらの、また他の目的は、様々な図及び図面に例示されている好ましい実施形態に関する下記の詳細な説明を読めば、当業者に確実に明らかになることである。
【００１１】
【図１】本発明の第１実施形態に係るスライドレール組立体を例示している概略図である。
【図２】本発明の第１実施形態に係るスライドレール組立体を例示している分解図である。
【図３】本発明の第１実施形態に基づき、ブラケットによってラックに取り付けられているスライドレール組立体であって、後退されているスライドレール組立体を例示している図である。
【図４】図３の領域Ａの拡大図である。
【図５】本発明の第１実施形態に基づき、ブラケットによってラックに取り付けられているスライドレール組立体であって、伸長されているスライドレール組立体を例示している図である。
【図６】図５の領域Ａの拡大図である。
【図７】本発明の第１実施形態に係るスライドレール組立体を例示している横断面図である。
【図８】本発明の第１実施形態によってラックに搭載されているスライドレール組立体を例示している横断面図である。
【図９】本発明の第２実施形態に係るスライドレール組立体を例示している横断面図である。
【図１０】本発明の第３実施形態に係るスライドレール組立体を例示している横断面図である。
【発明を実施するための形態】
【００１２】
図１，２に示すように、本発明の第１実施形態に係るスライドレール組立体２０は、第１レール２２、第１ブラケット２４及び第２レール２６を備えている。好ましくはスライドレール組立体２０は、第３レール２８及び第２ブラケット２９をさらに含む。
【００１３】
第１レール２２は、第１壁３０ａと、第２壁３０ｂと、第１レール２２の第１壁３０ａ，第２壁３０ｂの間に接続された長手方向壁３２とを備えている。第１通路３３が、第１レール２２の第１壁３０ａ，第２壁３０ｂ及び長手方向壁３２によって画定されている。第２レール２６は第１通路３３中に可動に設けられている。第１レール２２は、第１端部Ｅ１と、第１レール２２の第１端部Ｅ１から遠い側の第２端部Ｅ２とを有する。本実施形態では、第１端部Ｅ１，第２端部Ｅ２はそれぞれ第１レール２２の前端部及び後端部である。しかし本発明はこれに限定されない。
【００１４】
第１ブラケット２４は第１レール２２に配置されている。好ましくは、第１ブラケット２４は第１レール２２の第１端部Ｅ１に隣接して位置する。
【００１５】
第２レール２６は、第１レール２２に対して長手方向に可動である。第２レール２６は、第１壁３４ａ及び第２壁３４ｂ（一例として、第１リップ及び第２リップ）と、第２レール２６の第１壁３４ａ，第２壁３４ｂの間に接続された長手方向壁３６とを備えている。第２通路３７が、第２レール２６の第１壁３４ａ，第２壁３４ｂ及び長手方向壁３６によって画定されている。第３レール２８は第２通路３７中に可動に設けられている。
【００１６】
第３レール２８は、第２レール２６に対して長手方向に可動である。第３レール２８は、第１壁３８ａと、第２壁３８ｂと、第３レール２８の第１壁３８ａ，第２壁３８ｂの間に接続された長手方向壁４０とを備えている。
【００１７】
第２ブラケット２９は、第１レール２２の第２端部Ｅ２に隣接して配置されている。
【００１８】
ここで、第１支持部４２と第２支持部４４とが、第１レール２２と第１ブラケット２４とのうち一方に配置されている。本実施形態では、第１支持部４２と第２支持部４４とは両方とも第１ブラケット２４に配置され、第１支持部４２と第２支持部４４とは第１ブラケット２４に一体化されている。しかし本発明はこれに限定されない。
【００１９】
好ましくは、第１ブラケット２４は側壁４６と、側壁４６に隣接した少なくとも一つの第１取り付け部材４８とを含む。他方、第２ブラケット２９は側板５０と、側板５０に隣接した少なくとも一つの第２取り付け部材５２とを含む。
【００２０】
図３，４に示すように、第１ブラケット２４の少なくとも一つの第１取り付け部材４８は、ラック（又はキャビネット本体）の第１柱５４ａに第１レール２２を取り付けるように構成されている。第２ブラケット２９の少なくとも一つの第２取り付け部材５２は、第２柱５４ｂに第１レール２２を取り付けるように構成されている。好ましくは、締結部材５５は第１ブラケット２４に可動に取り付けられ、第１柱５４ａへの締結を行う構成である。
【００２１】
さらに、第２レール２６が第１レール２２に対して退避位置Ｐ１にあるときに、第１支持部４２と第２レール２６の第１壁３４ａとは互いに支持し合わない。また第２支持部４４と第２レール２６の第２壁３４ｂとは、互いに支持し合わない。
【００２２】
図５，６，７に示すように、第２レール２６が第１レール２２に対して、退避位置Ｐ１から伸長位置Ｐ２に開放方向に向けて長手方向に移動したときに、第１支持部４２と第２レール２６の第１壁３４ａとは互いに支持し合うことができる。好ましくは、第２支持部４４と第２レール２６の第２壁３４ｂとは互いに支持し合うことができ、第１ブラケット２４の側壁４６と第２レール２６の長手方向壁３６とは互いに支持し合うことができる。ここで第１支持部４２と第２支持部４４との両方を含む第１ブラケット２４は、実施形態の単なる例示であることに、留意することとする。他の実施形態では、第１ブラケット２４は第１支持部４２のみを含み、第１支持部４２は第２レール２６の第１壁３４ａに対応する。さらに他の実施形態では、第１ブラケット２４は第２支持部４４のみを含み、第２支持部４４は第２レール２６の第２壁３４ｂに対応する。言い換えれば、少なくとも一つの支持部を有する第１ブラケット２４の構造、即ち第１支持部４２及び／又は第２支持部４４を有する第１ブラケット２４の構造が、本発明の範囲内に含まれるものである。
【００２３】
好ましくは、第１レール２２の第１壁３０ａ，第２壁３０ｂのうち少なくとも一つは、第１壁区間Ｘ１と、第１壁区間Ｘ１から曲げられた第２壁区間Ｘ２とを含む。本実施形態では、第１レール２２の第１壁３０ａ，第２壁３０ｂの両方とも、第１壁区間Ｘ１と第２壁区間Ｘ２とを含む。横断方向の幅Ｔは、（図７に示すように）第１レール２２の各一つの第２壁区間Ｘ２と第１レール２２の長手方向壁３２との間に形成されている。他方、第３レール２８の第１壁３８ａ，第２壁３８ｂのうち少なくとも一つは、第３レール２８の長手方向壁４０から横に曲げられた第１壁区間Ｋ１と、第３レール２８の第１壁区間Ｋ１に実質的に垂直に接続された第２壁区間Ｋ２とを含む。本実施形態では、第３レール２８の第１壁３８ａ，第２壁３８ｂの両方とも、第１壁区間Ｋ１と第２壁区間Ｋ２とを含む。この第３レール２８の第２壁区間Ｋ２のそれぞれが、第２レール２６の第２通路３７の中へ伸び、第３レール２８の第２壁区間Ｋ２のそれぞれが、第１レール２２の横断方向の幅Ｔの範囲内に対応して位置する。（例えば、第２壁区間Ｘ２のそれぞれと、第１レール２２の長手方向壁３２との間に位置する。）これに加えて、第３レール２８の長手方向壁４０は平面Ｈの上に位置し、平面Ｈは、第１レール２２の第２壁区間Ｘ２のそれぞれに対して短い距離だけわずかに突出する。従って、第３レール２８の長手方向壁４０と、第１レール２２の第２壁区間Ｘ２のそれぞれとは、実質的に同一平面Ｈの上にあるとみなすことができる。言い換えれば、第３レール２８の長手方向壁４０は、場合によっては第１レール２２の第２壁区間Ｘ２よりも突出することができ、かつ、長手方向壁４０の表面が第２壁区間Ｘ２の平面と揃う位置（同一平面になる位置）まで押し下げ可能である構成を有していてもよい。この構造的な特徴により、スライドレール組立体の総幅を、減少させることができ、これによりスライドレール組立体はより狭くすることができる。
【００２４】
好ましくは、第２レール２６の第１壁３４ａ，第２壁３４ｂのうち少なくとも一つが、第２レール２６の長手方向壁３６から横へ曲げられた第１延長区間Ｍ１、第１延長区間Ｍ１に曲げて接続された第１曲げ区間Ｂ１、第１曲げ区間Ｂ１から横に曲げて接続された第２延長区間Ｍ２、及び第２延長区間Ｍ２に曲げて接続された第２曲げ区間Ｂ２を含む。本実施形態では、第２レール２６の第１壁３４ａ，第２壁３４ｂの両方が、第１延長区間Ｍ１、第１曲げ区間Ｂ１、第２延長区間Ｍ２、及び第２曲げ区間Ｂ２を含む。この第１延長区間Ｍ１、第１曲げ区間Ｂ１、第２延長区間Ｍ２及び第２曲げ区間Ｂ２の構造は、続いた形で曲がったものである。従って、第２レール２６の構造的強度は、スライドレール組立体の全体の構造的強度をさらに改善するために、改善される。（なおこれらの区間Ｍ１，Ｂ１，Ｍ２，Ｂ２は、リップ区間と称してもよい。）これに加えて、第２レール２６の第２曲げ区間Ｂ２と第３レール２８の第１壁区間Ｋ１とは、第２レール２６，第３レール２８の間の支持強度をさらに大きくするために、互いに支持し合うことができる。
【００２５】
好ましくは、第３レール２８の第２壁区間Ｋ２の端部は、第２レール２６の第２延長区間Ｍ２に隣接している。
【００２６】
好ましくは、第２レール２６の長手方向壁３６は第１長手方向区間Ｌ１，第２長手方向区間Ｌ２及び中間区間Ｌ３を備えている。第１長手方向区間Ｌ１と第２長手方向区間Ｌ２とは、それぞれ中間区間Ｌ３の二つの反対側の端から曲げられていて、中間区間Ｌ３の二つの反対側の端と第１長手方向区間Ｌ１，第２長手方向区間Ｌ２との接続の構造的な強度を改善するものである。
【００２７】
好ましくは第１支持部４２は、第２レール２６の第１壁３４ａを支持するように構成された第１支持区間４２ａを備えている。例えば、第１支持区間４２ａは第２レール２６の第１壁３４ａを横断方向に支持するように構成されている。（言い換えれば、第１支持区間４２ａは第２レール２６の第１壁３４ａの側部を支持する。）第１ブラケット２４の側壁４６に対応するために、第２レール２６の第１壁３４ａは第１支持区間４２ａと第１ブラケット２４の側壁４６との間に位置し、第２レール２６が横断方向に移動することを防止する。（図７で第２レール２６が右又は左に移動することを防止する。しかし本発明は特にこれに限定されない。）好ましくは、第１支持部４２はさらに、第２レール２６の第１壁３４ａを高さ方向に支持（し、これにより第２レール２６の上部が移動することを防止）するように構成された別の第１支持区間４２ｂを含む。この横断方向と高さ方向とは、実質的に互いに垂直である。
【００２８】
同様に、第２支持部４４は、第２レール２６の第２壁３４ｂを支持するように構成された第２支持区間４４ａを含む。例えば、第２支持区間４４ａは横断方向に第２レール２６の第２壁３４ｂを支持するように構成されている。（言い換えれば、第２支持区間４４ａは第２レール２６の第２壁３４ｂの側部を支持する。）第１ブラケット２４の側壁４６と対応するために、第２レール２６の第２壁３４ｂは第２支持区間４４ａと第１ブラケット２４の側壁４６との間に位置し、第２レール２６が横断方向に移動することを防止する。（図７で第２レール２６が右又は左に移動することを防止する。しかし本発明はこれに限定されない。）好ましくは、第２支持部４４はさらに、第２レール２６の第２壁３４ｂを高さ方向に支持するように構成された別の第１支持区間４４ｂを含む。（例えば、第２レール２６の下部が移動することを防止する。）
【００２９】
図８に示すように、載せる物品５６（例えば電子機器又は引き出し）の２辺が、二つのスライドレール組立体２０を介してラックに搭載される。このスライドレール組立体２０の構造的な形態が、図１〜７に図示されている。単純化のために、その他の要素は図示しない。さらに、スライドレール組立体２０のそれぞれが、第１ブラケット２４を介して第１柱５４ａに取り付けられる。
【００３０】
このラックの２本の第１柱５４ａと載せる物品５６の幅との間の距離のために、標準的な仕様があることに留意することとする。言い換えれば、載せる物品５６の物品幅Ｗ１がより大きい場合は、スライドレール組立体２０はさらに薄く、又はさらに狭くすることとなる。これに代えて、載せる物品５６の物品幅Ｗ１がより小さい場合は、スライドレール組立体２０はさらに広く、又はさらに厚くすることとなる。従って、載せる物品５６は、スライドレール組立体２０を介してラックの２本の第１柱５４ａの間に、対応して搭載できる。
【００３１】
さらに本発明の第１実施形態によれば、スライドレール組立体２０の第３レール２８の第２壁区間Ｋ２のそれぞれが第１レール２２の横断方向の幅Ｔの範囲内に対応して位置し、及び／又は、第３レール２８の長手方向壁４０と、第１レール２２の第２壁区間Ｘ２のそれぞれとは、実質的に同一平面Ｈ上にある（図７参照）。これによりスライドレール組立体２０の総幅Ｗ２は減少される。従って、より大きな物品幅Ｗ１を有する載せる物品５６を、スライドレール組立体２０に搭載することができる。
【００３２】
図９を参照すると、図９は本発明の第２実施形態に係るスライドレール組立体を示す図である。さらに、第１実施形態のスライドレール組立体の第１支持部４２と第２支持部４４とは、第１ブラケット２４上で統合されている。第２実施形態と第１実施形態との間の違いは、第１支持部２０２と第２支持部２０４とが第１ブラケット２００に取り付けられた二つの追加部品であることである。言い換えれば、第１支持部２０２，第２支持部２０４，第１ブラケット２００は三つの独立した要素であり、第１支持部２０２と第２支持部２０４とは、例えばリベットによって、第１ブラケット２００に一体化することができる。
【００３３】
図１０を参照すると、図１０は本発明の第３実施形態に係るスライドレール組立体を示す図である。さらに、第１実施形態のスライドレール組立体の第１支持部４２と第２支持部４４とは、第１ブラケット２４上で統合されている。第３実施形態と第１実施形態との間の違いは、第１支持部３０２と第２支持部３０４とが第１レール３００に設けられていることである。
【００３４】
さらに、第１支持部３０２，第２支持部３０４は、第１レール２２の第１壁３０ａ，第２壁３０ｂから横へ伸長した二つの伸長アームである。上記の構成によれば、第２レール２６が第１レール３００に対して伸長位置Ｐ２にあるときに、第１支持部３０２と第２レール２６の第１壁３４ａとは互いに支持し合い、第２支持部３０４と第２レール２６の第２壁３４ｂとは互いに支持し合う。
【００３５】
従来技術と比較すれば、本発明の全実施形態に係るスライドレール組立体は、下記の点で、従来技術に対して利点を有する。
【００３６】
１：第２レール２６が第１レール２２に対して、退避位置Ｐ１から伸長位置Ｐ２へ開放方向に移動したときに、第１支持部４２と第２レール２６の第１壁３４ａとは互いに支持し合う。好ましくは、第２支持部４４と第２レール２６の第２壁３４ｂとは互いに支持し合い、第１ブラケット２４の側壁４６と第２レール２６の長手方向壁３６とは互いに支持し合う。（これにより、第２レール２６が第１レール２２に対し、横断方向又は上下にずれてしまうことを防止する構成であってもよい。）
【００３７】
２：第３レール２８の第２壁区間Ｋ２のそれぞれは、第１レール２２の横断方向の幅Ｔの範囲内に対応して位置する（例えば、第２壁区間Ｘ２の一つと第１レール２２の長手方向壁３２との間に位置する）。これに加えて、第３レール２８の長手方向壁４０と第１レール２２の第２壁区間Ｘ２のそれぞれとは、実質的に同一平面Ｈの上にある。上記の構成によれば、スライドレール組立体の総幅を、減少させることができる。
【００３８】
３：第１延長区間Ｍ１、第１曲げ区間Ｂ１、第２延長区間Ｍ２及び第２曲げ区間Ｂ２の構造は、続いた形で曲がったものである。従って、第２レール２６の構造的強度は、スライドレール組立体の全体の構造的強度をさらに改善するために、改善される。
【００３９】
４：第２レール２６の第２曲げ区間Ｂ２と第３レール２８の第１壁区間Ｋ１とは、第２レール２６，第３レール２８の間の支持強度をさらに大きくするために、互いに支持し合うことができる。
【００４０】
５：第１長手方向区間Ｌ１と第２長手方向区間Ｌ２とは、中間区間Ｌ３の両端からそれぞれ曲げられたものであり、これにより中間区間Ｌ３の両端と、第１長手方向区間Ｌ１及び第２長手方向区間Ｌ２との接続の構造的な強度もまた、改善される。
【００４１】
６：第１支持部４２は、横断方向に第２レール２６の第１壁３４ａの少なくとも一つの支持部を供するように構成され、及び／又は、高さ方向に第２レール２６の第１壁３４ａの少なくとも一つの支持部を供するように構成される。好ましくは、第２支持部４４は、横断方向に第２レール２６の第２壁３４ｂの少なくとも一つの支持部を供するように構成され、及び／又は、高さ方向に第２レール２６の第２壁３４ｂの少なくとも一つの支持部を供するように構成される。
【００４２】
当業者であれば、本発明の教示に従いつつ、装置及び方法のさまざまな改変及び変更を行うことができることが容易に理解されることである。従って、上記の開示は、添付の請求項で規定される範囲によって限定されると解釈されることとする。
【図１】
0006870059.tif 000002
【図２】
0006870059.tif 000003
【図３】
0006870059.tif 000004
【図４】
0006870059.tif 000005
【図５】
0006870059.tif 000006
【図６】
0006870059.tif 000007
【図７】
0006870059.tif 000008
【図８】
0006870059.tif 000009
【図９】
0006870059.tif 000010
【図１０】
0006870059.tif 000011